Podtech/llm-jp-corpus-v4-ja_patent huggingface dataset:
(57)【要約】      （修正有）【課題】柔軟なごみ押え網に骨を付けることで扱いやすくなり、折り畳んで収納棚に収める事ができるごみ押え網を提供する。【解決手段】ごみ押え網の一辺に柔軟性を防ぐ為の取っ手５付の骨３を設け、その対辺に収納棚２を固定し、取っ手付の骨と収納棚の中間部分に引掛け金具４を左右に各1個固定し、取っ手付の骨を引掛け金具に挿入して、網を折り畳んで収納できる収納棚付ごみ押え網を構成する。【選択図】図５
0003151085.tif 000002
【実用新案登録請求の範囲】
【請求項１】
ごみ押え網の一辺に柔軟性を防ぐ為の取っ手付骨と対辺に収納棚を付け、取っ手付骨で網を折り畳む為の引掛け金具を付けた収納棚付ごみ押え網。
【考案の詳細な説明】
【技術分野】
【０００１】  本考案は、収納棚と柔軟性を防ぐための取っ手付骨及び引掛け金具を固定した網からなる収納棚付ごみ押え網に関する。
【背景技術】
【０００２】  従来のごみ飛散防止用網は、取っ手兼骨が一辺と中央部にも付けてある。
出願番号  実願２００７−０１０２６７
【考案の開示】
【考案が解決しようとする課題】
【０００３】  しかしながら、取っ手兼骨が網の中央部分にあると網の一定方向への柔軟性が阻害され空間が多くなり、ごみ袋が十分に入らないなどの欠点があった。
【課題を解決するための手段】
【０００４】  本考案は、網の一辺に収納棚を対辺に柔軟性を防ぐための取っ手付骨を付け、その中央部あたり左右に小幅な引掛け金具を固定する。
【考案の効果】
【０００５】  ごみ押え網を使用するときは、網は折り畳まれて取っ手付骨が上になった状態で収納されているので、取っ手を引くと順序良く引き出されて網全面を使用できる。網を収納する場合は、左右の引掛け金具挿入口は取っ手付骨向きに固定してあるので、取っ手付骨を挿入して持ち上げると網中央部骨の役割をはたして網は四つ折りになり収納できる。引掛け金具は小幅なので、網中央部分はごみの形状にそった形で柔軟に使用できる。また、ごみを捨てる時も柔軟性を防ぐための取っ手付骨があるので網を持ち上げやすい。そして、ごみ収集場が整頓され景観美化になる。
【考案を実施するための最良の形態】
【０００６】  図１に示されるように、網１の一辺に柔軟性を防ぐための取っ手５付骨３と対辺に収納棚２を固定し、骨３と平行に引掛け金具４を左右に固定するが、骨３幅Ａより引掛け金具４幅Ｂが狭くなる。【０００７】  図２に示されるように、引掛け金具４の挿入口６方向を示し、網１に取っ手５付骨３向きで且つ平行に固定する。【０００８】  図３に示されるように、引掛け金具４の挿入口６を取っ手５付骨３向きに固定するので、取っ手５付骨３を引掛け金具４挿入口６に下方から挿入する事で網１中央部の骨３の役割を果たす。【０００９】  図４に示されるように、柔軟性を防ぐための取っ手５付骨３を引掛け金具４に挿入して持ち上げた状態であり、網１は１／４に折り畳まれており、横方向への柔軟性を骨３と引掛け金具４で防ぐので持ちやすくなり収納棚２に収納しやすい。【００１０】  図５に示されるように、網１を収納棚２に収納した時、取っ手５付骨３は上部にあるので取っ手５は持ちやすい位置となり、折り畳まれた網１は絡まること無く引き出せる。
【図面の簡単な説明】
【００１１】
【図１】正面図である。
【図２】引掛け金具の正・側面図である。
【図３】取っ手付骨を引掛け金具に挿入した図である。
【図４】取っ手付骨を引掛け金具に挿入後四つ折りにした側面図である。
【図５】折り畳んで収納棚に収めた側面図である。
【符号の説明】
【００１２】１・・・網
２・・・収納棚
３・・・骨
４・・・引掛け金具
５・・・取っ手
６・・・挿入口
Ａ・・・骨幅
Ｂ・・・引掛け金具幅
【図１】
0003151085.tif 000003
【図２】
0003151085.tif 000004
【図３】
0003151085.tif 000005
【図４】
0003151085.tif 000006
【図５】
0003151085.tif 000007
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
ごみ押え網の一辺に柔軟性を防ぐ為の取っ手付骨を設け、その対辺に収納棚を固定し、取っ手付骨と収納棚の中間部分に引掛け金具を左右に各1個固定する。取っ手付骨と引掛け金具を使用して網を折り畳んで収納できる収納棚付ごみ押え網。
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
ごみ押え網の一辺に柔軟性を防ぐ為の取っ手付骨を設け、その対辺に収納棚を固定し、取っ手付骨と収納棚の中間部分に引掛け金具を左右に各1個固定し、取っ手付骨を引掛け金具に挿入して網を折り畳んで収納できる収納棚付ごみ押え網。
(57)【要約】      （修正有）【課題】蝶番式ドアーのドアー開閉に伴って蝶番取り付け側に必然的に発生する枢軸開口部を遮蔽することで、この開口部への指の侵入を防ぎ、指詰め事故を未然に防ぐことができる防止具を提供する。【解決手段】長尺で薄板状の保護カバーＡは、片側にドアー取り付け枠Ｂに固定する固定部１を形成し、該固定部１を起点としてドアーＣ側へ折り曲げ成型により遮蔽部２を形成する。その遮蔽部２先端をドアーＣ側面に屈曲復元性により臨接する構造とする。【選択図】図１
0003151096.tif 000002
【実用新案登録請求の範囲】
【請求項１】
保護カバー（Ａ）は、ドアー取り付け枠（Ｂ）に固定する固定部（１）と、該固定部（１）を起点としてドアー（Ｃ）側へ折り曲げ成型により屈曲復元性を附与した遮蔽部（２）からなり、その遮蔽部（２）先端をドアー（Ｃ）側面に臨接する構造。
【考案の詳細な説明】
【技術分野】
【０００１】
本考案は、蝶番式ドアーの開閉時に、ドアー取り付け枠とドアーとの間に必然的に生じる枢軸開口部（Ｅ）に誤って指を置き、ドアー閉時に指を挟む事故を防止する防止具に関するものである。
【背景技術】
【０００２】
従来指詰め防止具は複雑な構造や後付けし難い構造の物が考案されている、また指詰め防止策が施されていないことも多い。
【特許文献１】特許公開平10-184184
【特許文献２】特許公開平 10-131607
【特許文献３】特許公開平10-292725
【考案の開示】
【考案が解決しようとする課題】
【０００３】
本考案は、蝶番式ドアーにおいて、ドアー開時にドアーとその取り付け枠との間に必然的に生じる枢軸開口部（Ｅ）を塞ぐことにより指の侵入を妨げて指詰め事故を防ぐことである。
【課題を解決するための手段】
【０００４】
本考案は、保護カバーの固定部（１）を起点として折り曲げ成型することで遮蔽部（２）にドアー側への復元性が附与され、ドアーの開閉に応じてカバー遮蔽部（２）先端がドアー（Ｃ）側面に弾力的に臨接する。このようにドアー（Ｃ）の開閉に応じて保護カバー（Ａ）先端がドアー（Ｃ）側面に弾力的に臨接して枢軸開口部（Ｅ）の閉鎖状態を保ち指の侵入を防止する。
【考案の効果】
【０００５】
本考案は保護カバーの片側固定部（１）をドアー取り付け枠（Ｂ）に取り付け固定することのみで設置完了となる。この為ドアーの側には取り付け工作が不要で、新設のドアーに安価に取り付けできることは勿論、既設のドアー施設への後付けも容易である。
【考案を実施するための最良の形態】
【０００６】
保護カバーは断面弧状に折り曲げ成型することで、保護カバーの基部から先端に至るまでの復元性と,長手方向の捩れを防ぐ剛性が附与できる。
【実施例１】
【０００７】
図１は、図１は実施例の断面図であって、ポリプロピレン等の弾力性素材を用いた長尺で薄板状の保護カバー（Ａ）は片側にドアー取り付け枠（Ｂ）への固定部（１）を設け、他方遮蔽部（２）はドアー（Ｃ）側に向けて断面弧状に折り曲げ成型しその遮蔽部（２）先端をドアー側面に臨接する実施例をしめすものである。
【産業上の利用可能性】
【０００８】
新築およびリフォームを問わず蝶番式ドアーの指詰め防止具として利用できる。
【図面の簡単な説明】
【０００９】
【図１】指詰め防止具のドアー開時における実施状態を示した説明図である。（実施例１）
【図２】指詰め防止具のドアー閉時における実施状態を示した説明図である。（実施例１）
【符号の説明】
【００１０】
Ａ    保護カバー
Ｂ    ドアー取り付け枠
Ｃ    ドアー
Ｄ    蝶番
Ｅ    枢軸開口部
１    固定部
２    遮蔽部
【図１】
0003151096.tif 000003
【図２】
0003151096.tif 000004
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
ドアー取り付け枠（B）に固定する固定部（１）と、該固定部（１）を起点としてドアー（C）側へ折り曲げ成型により屈曲復元性を附与した遮蔽部（２）からなる保護カバー（A）を備え、その遮蔽部（２）先端をドアー（C）側面に臨接することを特徴とする、指詰め防止具。
(57)【要約】      （修正有）【課題】自動車の運転にひとりで集中することができたり、運転席の左右どちらからのドアからでも直接運転席に乗車できるようにした自動車を提供する。【解決手段】座席が前列と後列に配置された自動車１において運転者が、左右どちらのドアからも直接運転席４に乗り込めるように、前列は運転席４のみとし、運転席の左右にドアを配置して該自動車を構成する。【選択図】図１
0003151097.tif 000002
【実用新案登録請求の範囲】
【請求項１】
自動車本体の前列が運転席だけで、後列に複数の座席がある自動車。
【考案の詳細な説明】
【技術分野】
【０００１】  本考案は、前列が運転席だけの自動車に関するものである。
【背景技術】
【０００２】  今まで自動車の運転席のドアは左右どちらかにしかなかった。
【考案の開示】
【考案が解決しようとする課題】
【０００３】  自動車の運転席へ直接移動するためのドアが左右どちらかひとつしかなくて不便だった。
【課題を解決するための手段】
【０００４】  自動車の前列を運転席だけにすることで、左右どちらからのドアからでも直接運転席へ移動することができるようになる。
【考案の効果】
【０００５】  自動車の前列を運転席だけにすることで、運転席の左右どちらからのドアからでも運転席に直接出入りすることができるようになる。
【考案を実施するための最良の形態】
【０００６】  自動車本体の前列の中央に運転席だけを設置することで自動車の運転がしやすくなる。
【実施例】
【０００７】  以下、添付図面に従って一実施例を説明する。
耐久性の適宣素材で形成された自動車本体１の前列の中央部分に設置された運転席のドア２か運転席のドア３から運転席へと入り、自動車本体１を運転する。
【図面の簡単な説明】
【０００８】
【図１】本考案の前列が運転席だけの自動車の一実施例を示す上面図である。
【図２】本自動車の横面図である。
【符号の説明】
【０００９】１  自動車本体
２  運転席のドア
３  運転席のドア
４  運転席
５  後列の座席
６  タイヤ
７  後列のドア
【図１】
0003151097.tif 000003
【図２】
0003151097.tif 000004
(57)【要約】      （修正有）【課題】鋏を握る手が滑ることなく、安全に長時間使用することができる剪定鋏を提供する。【解決手段】スプリングにより刃が開くように付勢させる剪定鋏において、使用時に上方となるハンドルに刃の付け根側の親指が接する部分に上方に向けて湾曲させる突起部を形成していることを特徴とする剪定鋏である。この突起部によって手が刃の方向に滑ることを防止することができる。【選択図】図３
0003151094.tif 000002
【実用新案登録請求の範囲】
【請求項１】
スプリングにより刃が開くように付勢させる剪定鋏において、使用時に上方となるハンドルに刃の付け根側の親指が接する部分に上方に向けて湾曲させる突起部を形成していることを特徴とする剪定鋏。
【考案の詳細な説明】
【技術分野】
【０００１】  庭木等の剪定に用いる鋏の形状に関するものである。
【背景技術】
【０００２】  剪定鋏は、図１及び図２に示す従来のものは、作業中握りがスプリングによって大きく開くので、握る手が滑って先の方向にずれてしまう。手袋をはくと更に滑る。作業中に絶えず握り直さなくてはならない。
【考案の概要】
【考案が解決しようとする課題】
【０００３】  スプリングの握りが大きく開くので、作業中手が刃の方向に滑る。テコの作用が弱まり、握る力が必要になる。更に手が刃先に近いので危険である。これらの問題を解決する剪定鋏を提供することが課題である。
【課題を解決するための手段】
【０００４】  握りの右ハンドルの刃の付け根側の親指が接する部分に向けて大きく湾曲をつけ、突起をつけて滑りを防ぐ剪定鋏であり、更に突起に切り目をつけて、効果を高める剪定鋏とするものである。
【考案の効果】
【０００５】  庭木等の剪定作業の場合は踏台若しくは三脚を使っての作業が多い。片方の手は何かに捕まって体を固定しなければならない。剪定鋏は、スプリングによって握りのハンドルが大きく開くので、手が刃の先の方向に滑ってしまう。たえず握り直さなければならない。不安定な姿勢で片手で握り直すのは大変な苦痛と危険でもあり、仕事も不能率的である。
滑り止めと考えたのが、握りのハンドルにゴムヒモを巻いてみる。滑らず、ほどけず安定する。
右の握りのハンドルに鉄板を丸くしてボルトで留めて突起をつけたものを作ると固定して全く滑らない。
製造の時点で右のハンドルの付け根のところから大きく曲げて突起をつけたものにすると尚安定する。曲がりの親指の付け根の当たる部分に切り目をつけて更に滑らないようにする。突起をつけ、切り目をつけることによって安全で安心して作業ができ、長時間使用できる。握り直すことがないので、時間のロスがない。剪定作業の能率が上がることは確実である。
【図面の簡単な説明】
【０００６】
【図１】  従来の剪定鋏の外観図である。
【図２】  同上、使用状態図である。
【図３】  本考案、剪定鋏の一実施例の外観図である。
【図４】  同上、使用状態図である。
【実施例】
【０００７】  以下、図面に示す実施例に従って本考案の実施態様について説明する。図３は本考案剪定鋏の一実施例であるが、鋏本体１に設けるバネ３により常時は開いている刃４を有するハンドル２の、刃４の付け根側の握った場合に親指が接する部分に、上方に向けて湾曲する突起部５を設けて、この突起部５によって手が刃４の方向に滑ることを防止できるようになっている。図４は手Ａで握った時の状態を示すものであるが、この場合に図示のように親指が突起部５に掛かり前方に滑ることが無くなる。突起部５には数条の切り目５−１を設けてあるが、この切り目５−１により更に滑り止めの効果を増す。切り目５−１を設けることは本考案における必須の条件では無く又突起部５の形状、大きさ或いは高さ等の選択は設計上の問題となる。
【符号の説明】
【０００８】１        剪定鋏本体
２        ハンドル
３        バネ
４        刃
５        突起部
５−１    切り目
【図１】
0003151094.tif 000003
【図２】
0003151094.tif 000004
【図３】
0003151094.tif 000005
【図４】
0003151094.tif 000006
(57)【要約】      （修正有）【課題】経鼻エアウェイ周囲における生体からの分泌物貯留，副鼻腔から鼻腔への開口部閉塞，気道の乾燥を防止する経鼻エアウェイを提供する。【解決手段】筒状体の経鼻エアウェイにおいて、該筒状体の側面に外部から内部空洞に向け貫通し、液状体が筒状体の外から内へ流通できる細孔を多数、穿つか、筒状体を形成する材料として、液状体が同様に外から内に流通できるメッシュ状のものを使用して経鼻エアウェイを構成する。【選択図】図１
0003151095.tif 000002
【実用新案登録請求の範囲】
【請求項１】
液体が流通できる側孔として多数の細孔を具備させた経鼻エアウェイ
【請求項２】
液体が流通できる側孔を具備するようにメッシュ状に作成された経鼻エアウェイ
【考案の詳細な説明】
【技術分野】
【０００１】  本考案は，側孔を具備した経鼻エアウェイに関する．
【背景技術】
【０００２】  経鼻エアウェイは気道確保のために利用されるが，従来の経鼻エアウェイの形状は図３に示すように単なる筒状のものである．
【考案の概要】
【考案が解決しようとする課題】
【０００３】  従来の経鼻エアウェイ使用時には，経鼻エアウェイ周囲へ生体からの分泌物が貯留することにより分泌物貯留部位の感染をきたす危険性がある．【０００４】  また，経鼻エアウェイが副鼻腔から鼻腔への開口部を閉塞することにより副鼻腔炎を併発する危険性がある．【０００５】  さらに，吸入気が経鼻エアウェイ内腔を通過するので鼻腔による加湿効果が消失し，気道の乾燥をきたす危険性もある．【０００６】  そこで，液体の流通できる経鼻エアウェイを提供することにより，前述の欠点を解決しようとするものである．
【課題を解決するための手段】
【０００７】  上記課題を解決することを目的としてなされた本考案は，経鼻エアウェイに液体の流通できる多数の側孔を具備させることを特徴とする．
【考案の効果】
【０００８】  本考案の経鼻エアウェイにおいては，経鼻エアウェイ周囲の分泌物は多数の側孔から経鼻エアウェイ内腔に流通できるため，経鼻エアウェイ周囲の分泌物貯留を防止することができる．【０００９】  また，多数の側孔を具備しているために，経鼻エアウェイによる副鼻腔から鼻腔への開口部閉塞を防止することができる．【００１０】  さらに，側孔から経鼻エアウェイ内腔に流通してくる液体である分泌物が経鼻エアウェイ内腔を通過する吸入気を加湿するため，気道の乾燥を防止することもできる．
【図面の簡単な説明】
【００１１】
【図１】本考案請求項１の経鼻エアウェイを示した斜視図である．
【図２】本考案請求項２の経鼻エアウェイを示した斜視図である．
【図３】従来の経鼻エアウェイを示した斜視図である．
【産業上の利用可能性】
【００１２】  本考案は以上の通りであり，従来の製品を使用時の欠点である経鼻エアウェイ周囲への分泌物貯留，副鼻腔から鼻腔への開口部閉塞，気道の乾燥を防止できる．従って，本考案は医療現場において，舌根沈下をきたした患者に対する気道確保を行う際にきわめて有用である．
【符号の説明】
【００１３】  １  側孔
２  側孔
【図１】
0003151095.tif 000003
【図２】
0003151095.tif 000004
【図３】
0003151095.tif 000005
(57)【要約】      （修正有）【課題】下着の上から患部に当てて使用する、肩こり解消マットを提供する。【解決手段】トルマリン石と竹炭の混合粉末を貼りつけたプレート２を袋状の布容器１に入れ、マジックテープ（登録商標）３止めによって下着の上から装着することにより、肌への負担を解消し、剥がれやすさを防止する。又装着する患部の選択と脱着が自在である。【選択図】図１
0003151092.tif 000002
【実用新案登録請求の範囲】
【請求項１】
トルマリン石と竹炭の混合粉末を粘着テープに貼り詰め、袋状の布容器に入れ、下着の上から患部に当てて使用する肩こり解消マット。
【考案の詳細な説明】
【技術分野】
【０００１】  本考案は、トルマリン石と竹炭の混合粉末を袋状の布容器に入れて、下着の上から患部に当てて使用する、肩こり解消のためのパックに関するものである。
【背景技術】
【０００２】  肩のこりや痛みを解消するものとしては多くの実用品があるが、より効果的かつ機能的な製品が待たれている。
【先行技術文献】
【特許文献】
【０００３】
【特許文献１】  実開平２０ー号公報
【考案の概要】
【考案が解決しようとする課題】
【０００４】  従来の肩のこりや痛みの解消用貼り薬は直接肌に作用するもので、肌への負担やはがれやすさがあった。
【課題を解決するための手段】
【０００５】  本考案は、トルマリン石と竹炭の混合粉末を粘着テープに貼りつめたプレートを袋状の布容器に入れ、下着の上からマジックテープによって貼り合わせて使用する。
【考案の効果】
【０００６】  本考案は、下着の上からマジックテープ止めによって装着するもので、肌への負担がなく必要な部位への脱着が自在である。又当該粉末の性質上使い捨てではなく繰り返し使用できる。
【図面の簡単な説明】
【０００７】
【図１】  本考案の肩こり解消マットの本体である。
【図２】  本マットの断面図である。
【図３】  本考案を適用する場合の一実施例を示す概要図である。
【考案を実施するための形態】
【０００８】  本マットにマジックテープの一方を貼り、下着に貼ったもう一方のマジックテープに留めて使用する。したがって、貼りつける部位の選択は自由であり、脱着自在である。
【実施例】
【０００９】  以下、添付図面に従って一実施例を説明する。図１は２ａのトルマリン石と竹炭の混合粉末を２ｂの粘着テープに貼りつけた２のプレートを、１の袋状の布容器に入れ、３のマジックテープを取り付けた肩こり解消マット本体である。【００１０】  図３は下着に貼ったマジックテープにマット本体を取り付けた一実施例の概要図である。【００１１】  本考案の一実施例は上述のとおりであるから、自由に装着する部位の選択ができ、脱着も自在である。
【符号の説明】
【００１２】１    布容器
２    プレート
２ａ  トルマリン石と竹炭の混合粉末
２ｂ  粘着テープ
３    マジックテープ
【図１】
0003151092.tif 000003
【図２】
0003151092.tif 000004
【図３】
0003151092.tif 000005
(57)【要約】      （修正有）【課題】ティッシュを使い易くする為のティッシュペーパーを提供する。【構成】ティッシュペーパーを半分に折りそれを必要に応じて、二つ折り又は三つ折り、四つ折にしたものである。この状態でティッシュケースから引っ張り出すと、半分に折られた状態で出てくるので、即使用することができて便利である。【選択図】図１
0003151093.tif 000002
【実用新案登録請求の範囲】
【請求項１】
半分に折ったペーパーを、さらに、二つ折り又は三つ折り、四つ折にしたティッシュペーパーである。
【考案の詳細な説明】
【考案の詳細の説明】
この考案はティッシュペーパーを使い易くした物である。
従来のティッシュペーパーは、取り出すと、１枚の大きさのまま出てくる為、鼻をかんだりする場合は、まず半分に折り畳んで、これを使用する。
ポケットティッシュは、袋から取り出すと複雑に折畳まれて出てくる。
このティッシュでそのまま鼻をかむと、必ず、手を汚す。手を汚さない為には、１度大きく広げ半分に折って、使用していた。
本考案は、最初から半分に折った、２つ折の状態で出てくる事にある。
この為には、まず半分に折ったペーパーを、必要に応じて二つ折り又は三つ折り、四つ折に畳めば良い。この様な折り方をすると、ティッシュケースも従来の半分又は、１／３の大きさに縮小することが出来る。
尚、ペーパーが重なる部分を交互に重ねる事で、次のペーパーの頭だしが出来て便利である。また、この三つ折りに畳まれたペーパーをビニールの小袋に入れポケットティッシュとする。引っ張り出すと、半分に折られた状態で出て来るので、即、使用することが出来便利である。
【図面の簡単な説明】
【図１】  本考案の二つ折の場合の斜視図
【図２】  本考案の三つ折の場合の斜視図
【図３】  本考案の四つ折（ポケットティッシュ）の場合の斜視図
【符号の説明】  １は、一枚目のペーパー
２は、二枚目のペーパー
３は、３枚目以降のペーパー
４は、２枚の紙の重なり具合
【図１】
0003151093.tif 000003
【図２】
0003151093.tif 000004
【図３】
0003151093.tif 000005
(57)【要約】      （修正有） 【課題】暗闇で発光しても花の形がきれいに見え、光源を安定に固定できる花を模した造形物を提供する。【解決手段】光源を中心にしてめしべ、おしべを模した造形物で囲い、そのめしべ、おしべを外側に開くように取り付けた花弁で周囲を取りまき、その根本を非光透過性のもので巻いてこれらを固定する。光源とはＬＥＤのことであり、そのＬＥＤの頂面はレースで覆われている。好ましくは、このような花は複数あり、その花の茎は一本に束ねられている。【選択図】図１
0003151064.tif 000002
【実用新案登録請求の範囲】
【請求項１】
光源と、該光源を中心にして配置されためしべ・おしべと、
そのめしべ・おしべの周囲に配置され外側に開くように取り付けた花弁と、
それら光源とめしべ・おしべと花弁の根本を巻いて固定した非光透過性のテープとで花を模したことを特徴とする造形物。
【請求項２】
前記光源はＬＥＤのことであり、そのＬＥＤの頂面はレースで覆われていることを特徴とする前記請求項１に記載の造形物。
【請求項３】
前記花は複数がその茎を一本に束ねられて構成されていることを特徴とする前記請求項１に記載の造形物。
【考案の詳細な説明】
【技術分野】
【０００１】
本考案は、花を構成する素材による造形物に関するものである。
【背景技術】
【０００２】
従来、造花の花束等の花装飾具に電球やＬＥＤを用いた発光装置が組み合わせられ、発光演出を行う発光花装飾具が知られている。例えば、特許文献１の発光花装飾具は、ウエディングブーケの花と花との間に隙間を作りそこに取り付け、取り外し可能なLEDからなる光源を配置しブーケ全体を光らすものである。
【０００３】
また、特許文献２では、花を素材として造形するに際し、ペットボトルキャップを利用して作品に照明を組み込むとともにその場合、非昇温性の光源を用いることにより、造形作品自体に照明を組み込むことを可能にしたものである。光源にはＬＥＤを使用し温度上昇がないので素材の花に対してやさしくて、作品の長持ちを可能とする。
【先行技術文献】
【特許文献】
【０００４】
【特許文献１】登録実用新案第３１４７７２１号
【特許文献２】登録実用新案第３１４４４９７号
【考案の概要】
【考案が解決しようとする課題】
【０００５】
しかしながら特許文献１では、花そのものを発光させるものではなく、ブーケ全体を発光させるものであるため、単なる照明されたブーケというイメージでいかにもつくりものとの印象が強く、また暗闇で発光すると花の形が見えなくなるという問題点があった。
【０００６】
また特許文献２ではＬＥＤを花の下に配置してあり光で花を透過しずらかったり鍔や葉で光がさえぎられたり、透過させるためには大量のＬＥＤを使用しなければならなかった。さらにペットボトルの蓋は花の下から覗けるほど不細工だったり、光源の固定が不安定になりやすいので問題であった。
【課題を解決するための手段】
【０００７】
本考案は、光源を中心にしてめしべ、おしべを模した造形物で囲い、そのめしべ、おしべを外側に開くように取り付けた花弁で周囲を取りまき、その根本を非光透過性のもので巻いてこれらを固定する。光源とはＬＥＤのことであり、そのＬＥＤの頂面はレースで覆われている。好ましくは、このような花は複数あり、その花の茎は一本に束ねられている。
【考案の効果】
【０００８】
本考案では、花そのもの、特に花弁の中心近くにさりげなく光源を配置することによってブーケ全体を光らすのではなく花弁を中心に花自体を光らすことにより暗闇でも本来のブーケの形を損なうことなく鑑賞できるようにするためのものである。また、光源にLEDを使いLEDを固定し非光透過性のもので包み込む。さらに、花弁で光が広範囲に浸透するように配置することで１つのLEDでもしっかりと花そのものが光って見える。
【図面の簡単な説明】
【０００９】
【図１】本考案の実施例を示す斜視図である。
【図２】本考案の実施例を示す斜視図である。
【図３】本考案の実施例を示す断面斜視図である。
【図４】本考案の他の実施例を示す斜視図である。
【考案を実施するための形態】
【００１０】
本考案では、光源と、その光源を中心にして配置されためしべやおしべと、そのめしべとかおしべの周囲に配置され外側に開くように取り付けた花弁と、それら光源とめしべ・おしべと花弁の根元を巻いて固定した非光透過性のテープとで花を模した造形物である。そして、光源はLEDのことであり、そのLEDの頂面はレースで覆う。また花は複数がその茎を一本に束ねられて構成されている。これらの構成についてより詳細に説明する。
【実施例】
【００１１】
図１及び図２は本発明に実施例を示す斜視図、図３はその断面図である。これらの図において、１は花の造形物である。２はLEDからなる光源で、LEDは現状、単色としてすべての色の発色が可能になるに至っており、任意の単色での照明が可能であり、さらに、七色の発色など、多色発光を組み合わせることができる。かつ、発光のオンオフやどの色のLEDを発光させるかなどの切り替えが手元操作等で容易に行うことができて便利であり、本考案の実施において用いるのに有利である。３は光源１を中心にして配置されためしべとおしべで針金状の芯材に白い布を巻きつけ先端に綿帽子をつけたものであるが、これに限るものではない。またどういう花を表現するかによって、めしべのみ、またはおしべのみとしてよい。
【００１２】
４は、めしべ３やおしべ３の周囲に配置され外側に開くように取り付けた花弁で、光が当たって映えるように、芯材にレース状の幅広の葉肉をつけ、周辺を厚めの生地の布で縁取りがしてある。５は非光透過性のテープで、光源２とめしべ３・おしべ３と花弁４の根元を巻いて固定するもので、紙テープ、布テープなどで構成する。なお、LED２の頂面は好ましくは、レース（図示せず）で覆うことによって表現の柔らかさを醸し出すことができる。
【００１３】
図４はこれらの花からなる造形物を多数束ねた場合の他の実施例を示す斜視図である。この図に示すように花の造形物１は、複数がその茎６を一本に束ねられて構成している。こういう構成にすることによってＬＥＤ２の配線を茎６に収納することができ、概観を損なうことなく構成することができる。また茎２にスイッチや電池を収納することができる。
【符号の説明】
【００１４】
１  造形物
２  ＬＥＤ
３  おしべ
３  めしべ
４  花弁
５  非光透過性のテープ
６  茎
【図１】
0003151064.tif 000003
【図２】
0003151064.tif 000004
【図３】
0003151064.tif 000005
【図４】
0003151064.tif 000006
(57)【要約】      （修正有）【課題】夜間の視認性を可能にする立て看板の看板用保護カバーを提供する。【解決手段】反射材、畜光材を有することで、立て看板用保護カバーを特に夜間に視認性を向上させ、立て看板の位置や工事現場であることを明確にし、通行人の安全を確保する。立て看板に通行人が接触した場合の安全性や看板自体の老朽化防止のために枠に保護カバーを設け、さらに反射材や畜光材を有することにより、夜間でも外部からよく視認され安全になり、広告宣伝になる。【選択図】図１
0003151029.tif 000002
【実用新案登録請求の範囲】
【請求項１】
看板枠に装着する保護カバーであって、この保護カバーの表面に反射材を有してなることを特徴とする看板用保護カバー
【請求項２】
看板枠に装着する保護カバーであって、この保護カバーの表面に蓄光材を有してなることを特徴とする看板用保護カバー
【考案の詳細な説明】
【技術分野】
【０００１】
本考案は、標識や広告標識として使用される立て看板の看板用保護カバーに関するものである。
【背景技術】
【０００２】
立て看板は、道路標識や広告標識として広く用いられるが、通行人が接触した場合の安全性や看板自体の老朽化防止のために、枠に保護カバーを設けることが提案されている。
【０００３】
保護カバーとしては、発泡樹脂や合成樹脂の他、木材が使われることもある。
【先行技術文献】
【特許文献】
【０００４】
【特許文献１】意匠登録第1317071号
【考案の概要】
【考案が解決しようとする課題】
【０００５】
解決しようとする問題点は、立て看板に於いては夜間の視認性については、ほとんど考慮されていなかった。
【課題を解決するための手段】
【０００６】
本考案は、立て看板の保護カバーに反射材、蓄光材を有することにより夜間の視認性の向上を図ったものである。
反射する材料としては、反射板や反射シートの他、蓄光材や蓄光シートも採用でき、用途により適宜選択して用いる。
【考案の効果】
【０００７】
本考案によれば、立て看板に通行人が接触した場合の安全性や看板自体の老朽化防止のために枠に保護カバーを設ける。さらに反射材や蓄光材を有することになり、夜間でも外部からよく視認され安全になり、広告宣伝になる。
【図面の簡単な説明】
【０００８】
【図１】図1は、立て看板に本考案の看板用保護カバーを使用した場合の正面図
【図２】図2は、図1のＡ-Ａ線一部切り欠き拡大断面図で外型が四角型である。
【図３】図3は、図1のＡ-Ａ線一部切り欠き拡大断面図で外型が丸型である。
【図４】図4は、図1のＡ-Ａ線一部切り欠き拡大断面図で外型が四角型である。
【考案を実施するための形態】
【０００９】
図1にみられる様に、立て看板 １ に、本考案の立て看板用保護カバー３ に反射材、蓄光材 ４ を使用した図である。
【実施例１】
【００１０】
図1は、立て看板保護カバー ３ に反射材、蓄光材 ４ を装着、立て看板 １ の端部枠に装着状態の正面図である。
【００１１】
図2は、図1のＡ-Ａ線一部切り欠き拡大断面図で枠型２ が四角型で反射材、蓄光材 ４ を、立て看板用保護カバー ３ の外型が四角型でその平面部に装着している状態である。
【００１２】
図3は、図1のＡ-Ａ線一部切り欠き拡大断面図で枠型 ２ が丸型で、反射材、蓄光材 ４ を立て丸型看板用保護カバー３ の円型部表面に装着している状態である。
【００１３】
図4は、図1のＡ-Ａ線一部切り欠き拡大断面図で枠型２ が四角型で反射材、蓄光材 ４ を立て看板用保護カバー ３ の外型が四角型でその角部のＲ部に装着している状態である。
【産業上の利用可能性】
【００１４】
立て看板は、道路標識や広告標識として使用されています。立て看板用保護カバーを装着し、通行人の安全・看板の老朽化防止になりますが、夜間に視認性に欠け通行人の安全に不安があります。反射材、畜光材を有することにより視認性が増し、特に、夜間の工事現場などでは、不可欠なものになります。
【符号の説明】
【００１５】
1.     立て看板                                                  2.  枠型
3.     立て看板保護カバー                                 4.  反射材、蓄光材
【図１】
0003151029.tif 000003
【図２】
0003151029.tif 000004
【図３】
0003151029.tif 000005
【図４】
0003151029.tif 000006
(57)【要約】      （修正有）【課題】手に持って扱える髪の毛取りフィルターのサイズに合ったベースを提供する。【解決手段】髪の毛取りフィルターの貼り付け用ベースを作成し、手に持って清掃が出来て、貼り付け作業も設置も楽に出来る。フィルターベースが軽く手軽に扱える為手元でのフィルター貼り換えが可能である。配置は排水口上に置くだけなので姿勢にも無理がかからない。【選択図】図１
0003151988.tif 000002
【実用新案登録請求の範囲】
【請求項１】
環状形状内側に丸み形状を有する、髪の毛取り用フィルターベース
【請求項２】
環状形状外側に斜め形状を有する、髪の毛取り用フィルターベース
【請求項３】
環状形状を有する金属製の、髪の毛取り用フィルターベース
【請求項４】
環状形状内側に、複数の三角形状突起物を有する、髪の毛取り用フィルターベース
【請求項５】
環状形状表面に丸み形状溝を有する、髪の毛取り用フィルターベース
【考案の詳細な説明】
【技術分野】
【０００１】    前記髪の毛取りフィルター用ベースには、同様の市販品は無いのである。
【考案の開示】
【考案が解決しようとする課題】
【０００２】    市販の前記髪の毛取りフィルター貼り付けタイプは、使用時に貼り付け面の汚れや水分を完全に除去しないと貼り付きにくい為、今のままでは性能の発揮は期待出来ない。【０００３】    前記髪の毛取りフィルターの取り付け場所が床面と同じか、又は低い為、清掃の際に無理な姿勢になり易い。
【課題を解決するための手段】
【０００４】    手に持って扱える前記髪の毛取りフィルターのサイズに合ったベースを作成する。
【考案の効果】
【０００５】    フィルターベースが軽く手軽に扱える為手元でのフィルター貼り換えが可能である。
設置は排水口上に置くだけなので姿勢にも無理がかからない。
【符号の説明】
【０００６】    １  内側丸み形状
２  ベース本体
３  外側斜め形状
４  丸み形状溝
５  突起部
６  フィルター貼り付け面
【図面の簡単な説明】
【０００７】
【図１】    考案品を上から見た図である。
【図２】    考案品を裏から見た図である。
【図３】    考案品断面図である。
【図１】
0003151988.tif 000003
【図２】
0003151988.tif 000004
【図３】
0003151988.tif 000005
【手続補正書】
【提出日】平成21年4月13日(2009.4.13)
【手続補正１】
【補正対象書類名】実用新案登録請求の範囲
【補正対象項目名】全文
【補正方法】変更
【補正の内容】
【実用新案登録請求の範囲】
【請求項１】
円形で中心穴下部に複数の三角形状突起物を持つ髪の毛取り用フィルターベース
【請求項２】
裏面から表面にかけて斜め形状に立ち上がった外周部分構造を持つ請求項１記載の髪の毛取り用フィルターベース
【請求項３】
構造物が金属製の請求項１記載の髪の毛取り用フィルターベース
【請求項４】
表面に外周側より右回りで穴中心に向かう複数の溝を持つ請求項１記載の髪の毛取り用フィルターベース
【請求項５】
中心穴周辺の表面に半円形溝を持つ請求項１記載の髪の毛取り用フィルターベース
(57)【要約】      （修正有）【課題】画像映出面の角度、向きの調整が遠隔操作可能な装置を提供する。【解決手段】画像映出面２が表面に位置する表示装置を下部筺体１に取り付け、アングル３で下部筺体１を支持し、そのアングル３を支持する固定台部４ならびに下部筺体１に、各々モーターを内蔵させたことを特徴とする。【選択図】図１
0003151986.tif 000002
【実用新案登録請求の範囲】
【請求項１】
画像映出面が表面に位置する表示装置をモーターを内蔵する下部筐体に取り付けアングルで下部筐体を支持する
そのアングルを支持する固定台部にモーターを内蔵させ画像映出面の角度、向きの調整をコンピューターにより遠隔操作を可能とする装置
【請求項２】
画像映出面が垂直方向２７０度、水平方向３６０度駆動可能な請求項１に記載する装置
【考案の詳細な説明】
【技術分野】
【０００１】本考案は、画像映出面を取り付け可能な筐体をモーターで動かし、それをコンピューターで制御し、画像映出面の角度、方向を遠隔操作により任意の位置へ変化せしめるものである
【背景技術】
【０００２】近年、４０インチ以上の大画面のプラズマディスプレイ、ＬＥＤディスプレイ等のフラットパネル型表示装置が商品化されている
大画面であるゆえ、遠距離からの視認性が向上している
しかし、設置の際に画像映出面の角度を手動で調整し、再度角度を変更する場合再び、手動で調整しなければならない
また、画像映出面が固定されている場合、一定方向の視認性しか確保できない
また、スイーベル機構を内蔵し視認角度の調整できるものも実用化されているが画像映出面と一体型である
【考案の開示】
【考案が解決しようとする課題】
【０００３】一つの画面を多くの人が見ようとした場合、画面の面積を大きくし、さらに取り付ける位置を高くすることが必要となるが、画像映出面の角度を手動で調整する場合、画像映出面の位置が高所に設置されていると、角度の調整を脚立あるいは足場を用いて高所作業をしなければならない
また、多方向に視認性を確保するには、複数の画像映出面が必要である
また、スイーベル機構を内蔵しない表示装置に容易に同等の機能を付加することを目的とする
【課題を解決するための手段】
【０００４】この目的を達成するために本考案の装置は、画像映出面を取り付け可能な筐体にモーターを内蔵し、その筐体をアングルで指示する
さらに画像映出装置を取り付け可能な筐体を支持しているアングルをモーターを内蔵した固定台部に取り付け、そのアングルをモーターで駆動させることにより、画像映出面を取り付け可能な筐体の水平方向の位置を決定する
これらをコンピューターによって制御することにより遠隔操作を可能にする
【考案の効果】
【０００５】本考案は上記した構成により、モニター画面の角度を遠隔操作でできるため設置後の角度、向きの調整に高所作業の必要がない
また、コンピューターで制御することによって、必要に応じた向き、角度に瞬時に移動させることができる
また、表示装置を取り付けることを可能にすることによって、安価かつ容易に既存の表示装置の視認角度を調整できる
【考案を実施するための最良の形態】
【０００６】以下本考案の一実施例について説明する
図１において、２は前面に画像映出面が配置された表示装置
１は２を取り付けることが可能な筐体で、モーターを内蔵している
３は１を支持するためのアングルであり、４は３を支持し、３を駆動するためのモーターが内蔵されている固定台部
また、４の内部に必要な電源供給部および映像信号の処理部を配置する
図３，図４は天井に本装置が設置されている様子を簡略化して示してある
図３のａと図４のｂの位置から画面を見る場合、モニターの最も見やすい垂直角度は異なる
従来の角度を手動で調整する場合、高所での作業が必要になるが、本装置によれば遠隔操作により調整できる
また、図５，図６はモニターの水平方向と見る側の位置を示したものである
従来は設置後、一方向ｄに対しては見やすいが、図５のｃ，ｅの方向からは見えない
図６のように画像映出面を移動させると図６のｃの方向から見ることができる
本装置によれば水平方向の移動が可能となるため、どの方向からも映出内容を確認できる
【産業上の可能性】
【０００７】以上のように、本考案により見る側の位置を移動することなくあらゆる方向からモニター画面の映出内容を確認することができる
また、コンピューターにより遠隔操作で簡単にモニター角度が変えられるため高所などの設置場所において容易に視認角度を調整できる
【図面の簡単な説明】
【０００８】
【図１】本考案の一実施例を示した正面図
【図２】本考案の一実施例を示した側面図
【図３】本考案の一実施例と垂直角度の視認性の説明図
【図４】本考案の一実施例と垂直角度の視認性の説明図
【図５】本考案の一実施例と水平角度の視認性の説明図
【図６】本考案の一実施例と水平角度の視認性の説明図
【符号の説明】
【０００９】１  下部筐体
２  画像映出面
３  アングル
４  固定台部
ａ  視聴者の位置
ｂ  視聴者の位置
ｃ  視聴者の位置
ｄ  視聴者の位置
ｅ  視聴者の位置
【図１】
0003151986.tif 000003
【図２】
0003151986.tif 000004
【図３】
0003151986.tif 000005
【図４】
0003151986.tif 000006
【図５】
0003151986.tif 000007
【図６】
0003151986.tif 000008
【手続補正書】
【提出日】平成21年4月15日(2009.4.15)
【手続補正１】
【補正対象書類名】実用新案登録請求の範囲
【補正対象項目名】請求項１
【補正方法】変更
【補正の内容】
【請求項１】
画像映出面が表面に位置する表示装置を下部筐体に取り付け、アングルで下部筐体を支持し、そのアングルを支持する固定台部ならびに下部筐体に、各々モーターを内蔵させた装置であって、画像映出面の角度、向きの調整を、コンピューターにより遠隔操作可能としたことを特徴とする装置。
(57)【要約】      （修正有）【課題】仮設足場設置の時間短縮、労力軽減と落下事故防止に貢献できるクサビ緊結部付き建枠を提供する。【解決手段】枠組足場の建枠にクサビ式足場のクサビ緊結部を設け、クサビ式足場のクサビ緊結部が干渉する為クランプ等で結合することが出来なかった枠組足場の建枠と、クサビ式足場の支柱とを融合し、高層、長尺での仮設足場の設置に適している枠組足場と、建築物の凹凸部、狭小地等に対して、容易に仮設足場の設置が出来るクサビ式足場を結合可能にした。【選択図】図７
0003151985.tif 000002
【実用新案登録請求の範囲】
【請求項１】
枠組足場の建枠にクサビ式足場のクサビ緊結部を設け、クサビ式足場のクサビ緊結部が干渉する為クランプ等で結合することが出来なかった枠組足場の建枠とクサビ式足場の支柱とを融合し、高層、長尺での仮設足場の設置に適している枠組足場と、建築物の凹凸部、狭小地等に対して、容易に仮設足場の設置が出来るクサビ式足場を結合可能にする事で互いの長所を利用する事が出来るクサビ緊結部付き建枠。
【考案の詳細な説明】
【技術分野】
【０００１】本考案は、枠組足場の建枠に関する。
【背景技術】
【０００２】
【非特許文献１】株式会社  三共著「セブン足場製品カタログ」  ２００７年２月発行第１１項
【非特許文献２】株式会社  三共著「セブン足場製品カタログ」  ２００７年２月発行第１２項
【非特許文献３】株式会社  三共著「セブン足場製品カタログ」  ２００７年２月発行第１４項
【非特許文献４】株式会社  三共著「セブン足場製品カタログ」  ２００７年２月発行第１５項
【非特許文献５】株式会社  三共著「セブン足場製品カタログ」  ２００７年２月発行第１７項
【非特許文献６】信和株式会社著  「一般仮設製品カタログ」
【非特許文献７】信和株式会社著  「クランプカタログ」
【考案の開示】
【考案が解決しようとする課題】
【０００３】図１に示すように枠組足場の建枠とクサビ式足場の支柱との結合には、クサビ式足場の支柱のクサビ緊結部が枠組足場の建枠に干渉しクサビ式足場の支柱側のクランプのナットが締まらない為、クランプ等で結合することが出来なかった。【０００４】枠組足場は、狭小地・建築物の凹凸部等に対して仮設足場を設置する際、仮説足場施工場所の計測をし、墨出し・水平出しをして、鉄パイプ・クランプ等の部材を組み合わせ規格外の仮設足場の設置に対応しているものの、多大な時間と労力を必要とした。【０００５】クサビ式足場で、長尺・高層に仮設足場の設置をする際、短い部材で２００ｍｍ程度、長い部材で３６００ｍｍ程度と部材の大きさに違いがあるのと同時に、足場材を細かく分割できるが故に、部材の品目が多く、各層に人員配置をしなければ高層への荷揚げが出来ないなど、多大な時間と人員を必要とした。【０００６】材質は長期間使用を目的とする為、金属等を使用するものである。
【課題を解決するための手段】
【０００７】本考案は上記目的を達成するために、枠組足場とクサビ式足場を結合する事が出来るように枠組足場の建枠にクサビ式足場のクサビ緊結部を設けたものである。
【考案の効果】
【０００８】上述したように本考案のクサビ緊結部付き建枠は、枠組足場とクサビ式足場の長所を利用する事によって、建築物の外周に枠組足場と必要な部分にクサビ緊結部付き建枠を設置し、建築物の凹凸部、狭小地等に対して、クサビ緊結部付き建枠のクサビ緊結部にクサビ式足場を結合し設置する事で、容易に仮設足場の設置が出来る為、躯体から３００ｍｍ以内の仮設足場の離れを容易に実現する事が可能であり、仮設足場設置の時間短縮、労力軽減、人員削減と落下事故防止に貢献出来る。
【産業上の利用可能性】
【０００９】本考案は、枠組足場とクサビ式足場の結合部として産業上の利用可能性がある。【００１０】本考案はクサビ式足場のクサビ差込部を計測し、クサビ緊結部付き建枠を製造するので、すべてのタイプのクサビ式足場と枠組足場に対応できる。
【考案を実施するための最良の形態】
【００１１】本考案を実施するための最良の形態として、図５、図６、図７と順を追って説明すると、図５のように枠組足場の建枠で建築物の外周に地組みをして、図６のように必要な場所にクサビ緊結部付き建枠を設置し、図７のように建築物の凹凸部等に対してクサビ式足場を設置する。【００１２】以下、本考案の実施の形態を図１〜図７に基づいて説明する。
【図面の簡単な説明】
【００１３】
【図１】  クサビ式足場のクサビ緊結部が干渉する為クランプ等で結合することが出来ない図
【図２】  クサビ緊結部付き建枠全体図（正面から見た図）
【図３】  クサビ緊結部付き建枠全体図（横から見た図）
【図４】  クサビ緊結部付き建枠全体図（上から見た図）
【図５】  クサビ緊結部付き建枠施工図１（正面から見た図）
【図６】  クサビ緊結部付き建枠施工図２（正面から見た図）
【図７】  クサビ緊結部付き建枠施工図３（正面から見た図）
【符号の説明】
【００１４】  １    クサビ緊結部付き建枠
２    クサビ緊結部
３    建枠（非特許文献６）
４    ブラケット（非特許文献３）
５    支柱（非特許文献１）
６    踏板（非特許文献５）
７    固定ジャッキ（非特許文献２）
８    手摺（非特許文献４）
９    差込ピン
１０  建築物
１１  地面
１２  凹凸部
１３  クランプ（非特許文献７）
【図１】
0003151985.tif 000003
【図２】
0003151985.tif 000004
【図３】
0003151985.tif 000005
【図４】
0003151985.tif 000006
【図５】
0003151985.tif 000007
【図６】
0003151985.tif 000008
【図７】
0003151985.tif 000009